(57)【特許請求の範囲】
【請求項１】
植毛された毛束群から構成されたブラシ部を有する頭部と、把持部と、該頭部と該把持部とを連結する頚部とを備える歯ブラシにおいて、
前記毛束群の第１の部分が、横断面形状が多角形の多角形フィラメントからなり、前記毛束群の第２の部分が、芯部の材料が鞘部の材料で覆われ横断面形状が同心円状の芯鞘フィラメントからなり、
ａ）前記毛束群が、前記頭部の幅方向に沿って三列から五列を形成し、
ｂ）外側列の植毛の長さは、内側列の植毛の長さより短く、
ｃ）前記内側列の植毛は、前記頭部の長さ方向に沿って前記把持部に向かって前記第一から第六の毛切り面を形成し、
ｄ）前記第一の毛切り面の植毛は、頭部先端側で最も短く、把持部側に向かって頭部表面に対して２０°から３０°の角度で長くなり、第一の頂部毛切り水平面を形成する前記第二の毛切り面に接続するように、毛切され、
ｅ）前記第二の毛切り面に連続する前記第三の毛切り面の植毛は、前記把持部側に向かって前記頭部表面に対して２０°から３０°の角度で短くなり、底部を形成し、
ｆ）前記第四、第五、第六の毛切り面は、前記頭部表面に垂直で前記底部を横切る面を基準として、前記第一、第二、第三の毛切り面と対称であり、
ｇ）前記頂部毛切り水平面の高さＥと前記底部の高さＦの比が、Ｅ／Ｆ＝１．０５〜１．２であり、
ｈ）前記頂部毛切り水平面の高さＥと前記第一の毛切り面の最短の高さＧの比が、Ｅ／Ｇ＝１．１〜１．３であり、
ｉ）前記外側列の植毛の先端により形成される面は前記頭部表面と平行で、且つ前記外側列の植毛の長さは前記底部の植毛の長さと同等である
ことを特徴とする歯ブラシ。
【請求項２】
第一の頂部毛切り水平面の植毛の長さと第二の頂部毛切り水平面の植毛の長さが実質的に等しいことを特徴とする請求項１に記載の歯ブラシ。
【請求項３】
前記多角形フィラメントの毛束は、前記頭部の外側列を形成する植毛穴に植毛され、前記芯鞘フィラメントの毛束は、その他の植毛穴に植毛されていることを特徴とする請求項１または２に記載の歯ブラシ。
【請求項４】
前記多角形フィラメントの毛束は、前記頭部の全外周に位置する植毛穴に植毛され、前記芯鞘フィラメントの毛束は、その他の植毛穴に植毛され、前記芯鞘フィラメントの毛束群が、前記多角形フィラメントの毛束群により囲まれていることを特徴とする請求項１から３までのいずれか１項に記載の歯ブラシ。
【請求項５】
前記多角形フィラメントの多角形が、三角形、四角形、五角形、六角形または八角形であることを特徴とする請求項１から４までのいずれか１項に記載の歯ブラシ。
【請求項６】
前記多角形フィラメントの多角形が、六角形であることを特徴とする請求項５に記載の歯ブラシ。
【請求項７】
前記芯鞘フィラメントの芯部がポリエステル樹脂でできており、鞘部がポリアミド樹脂でできていることを特徴とする請求項１から６までのいずれか１項に記載の歯ブラシ。
【請求項８】
前記芯鞘フィラメントの先端が円錐形状であり、頂点部分がポリエステル樹脂でできており、且つ前記多角形フィラメントの先端が円状であることを特徴とする請求項１から７までのいずれか１項に記載の歯ブラシ。
【発明の詳細な説明】
【０００１】
【発明の属する技術分野】
本発明は、歯磨き時に歯と歯の間や歯と歯茎の境目等の歯垢の溜まりやすい部分の歯垢を効果的に除去することができ、同時に歯茎のマッサージを効果的に実施可能な歯ブラシを提供することを目的とする。
【０００２】
【従来の技術】
近年の多くの人の一般的な生活の中で、歯磨きは日常習慣の一部に取り入れられている。この歯磨きは、齲蝕、歯周病、口臭予防および歯肉のマッサージを目的として行われるもので、これには歯ブラシが最も広く利用されている。歯ブラシは、歯に付着した歯垢や歯間の食物残渣をブラシで除去することを主目的としているが、同時に歯肉のマッサージのためにも用いられている。従来の歯ブラシのフィラメントには、円形の断面形状で、単一の樹脂からなるモノフィラメントが主に使用されているが、かかるモノフィラメントの先端形状として、半球状やテーパー状或いは先細状に加工したものが知られている。さらにこれらの個々の毛束に一種類の先端形状あるいは２種類の先端形状のフィラメントを混合して植毛穴に植毛したものも知られている。
【０００３】
さらに例えば、（１）歯の表面、歯間、歯と歯茎の間、奥歯等に付着した歯垢や食物片を効果的に取り除くことができるように、歯ブラシの植毛部の毛切り形状を工夫し、平切り、山切り（実開昭６２ー１０６５２２）、山形切り（実開平３ー８２０２３）、２段差切り等としたもの、（２）植毛に使用されるフィラメント素材としては、歯や歯肉を痛めにくく、かつ歯垢を効果的に取り除くことができるものが好ましいため、一般にナイロン樹脂が使用されているが、一部にはポリブチレンテレフタレート、又は異なる２種の材質を組み合わせて使用したもの（実開昭５２ー８１３５５、実開昭５８−３１８３７）、（３）毛の太さについても、歯ブラシの毛の硬さ品質表示の「かため」「ふつう」「やわらかめ」に適合し、さらに歯垢を効果的に取り除くように、一種の毛の太さ又は、２種の毛の太さを組み合わせて使用したもの（実開平１ー１２１４３１）、（４）毛先の形状として、球形（実開昭６１ー９７９２３）やテーパー状（実開平６ー１５４）のものなど多種多様な工夫がなされている。
【０００４】
【発明が解決しようとする課題】
近年、口腔衛生への関心が高まるにつれて、虫歯や歯周病の原因となる歯垢を効果的に取り除くため、上記のように多様な歯ブラシが開発されているが、従来から知られている歯周病の予防を目的として、歯と歯茎に付着した歯垢を取り除くように、毛先をテーパー状、つまり、毛の先端を針状に加工した毛先のフィラメントをブラシ台全体に植毛した歯ブラシの場合、歯と歯茎の間に入りやすいフィラメント形状なのであるが、毛の先端部付近ではフィラメント径が小さいため毛が柔らかくなり過ぎてしまい、十分に歯垢を取り除くのに必要な強度を失ってしまい、結局歯周病予防という歯ブラシの目的に沿わないものとなっている。
他方、円状又は球状先端に加工したフィラメントを植毛台に植毛した歯ブラシは、歯茎のマッサージや歯の平滑面の清掃には適しているものの、歯間や、歯と歯茎の境界面を清掃するのには毛先の径が大きく、それらの境界面に毛先が入り込めないため該境界面の歯垢を取り除くことが困難である。即ち、先端形状が同一の毛束又は二種類の先端形状の毛束を均一に混在させた従来の歯ブラシでは、口腔内の隅々まで隈無く清掃することが困難であった。
【０００５】
【課題を解決するための手段】
本発明は、これら従来の問題点を解消し、歯磨き方法や歯磨き技術によらず、従来の歯ブラシよりも口腔内の隅々、つまり歯面、歯間、歯と歯肉の間、咬合面に付着した歯垢や食物残渣を容易に且つ効果的に清掃することができ、また歯肉のマッサージにより適度の刺激を与え、血行を良くすることができる齲蝕や歯周病の予防に効果的な歯ブラシを提供する。
【０００６】
本願の図面において、図１（ａ）は本発明の一実施例である歯ブラシの植毛台の平面図、図１（ｂ）はその側面図を示す。図２は本発明の一実施例である歯ブラシのブラシ部と植毛台の立面図を示す。図３（ａ）は本発明の一実施例の歯ブラシの平面図、図３（ｂ）はその側面図を示す。図４（ａ）から（ｄ）は各種多角形フィラメントが高密度に植毛される様子を示す断面図の一部である。なお図４（ａ）は三角形フィラメント、(ｂ)は四角形フィラメント、(ｃ)は六角形フィラメント、（ｄ）は八角形フィラメントの場合であり、（ｅ）は従来の円形断面のフィラメントが植毛されている様子を示している。図５（ａ）は六角形フィラメントの横断面図、（ｂ）は六角形フィラメントの縦断面図を示す。図６（ａ）は芯鞘フィラメントの横断面図、図６（ｂ）はその縦断面図を示す。図７は歯垢除去率テストの結果をまとめた棒グラフである。図８は、歯垢除去率評価試験における評価被験歯の部位を示す。図９は図６の他の円錐形状先端を有する芯鞘構造フィラメントの縦横断面図であって、根部の一定太さ部分から滑らかに徐々に細くなる形状の場合である。
【０００７】
【発明の実施の形態】
本発明は、断面形状を多角形としたフィラメントからなる毛束を、植毛台の外周に沿って高密度に配置した歯ブラシを提供する。即ち、断面形状が多角形のフィラメントを用いると、多角形の角ばった形状を利用して、良好な歯茎のマッサージ効果が得られ、かつ歯の平滑面を効果的に清掃できることが見いだされた。特にかかる多角形フィラメントを植毛台の外周に沿って配置しておけば、該フィラメントの側部の角ばった形状が作用するので、歯ブラシの全フィラメントを多角形とするまでもなくかかる効果が得られることが見いだされた。更にこのような多角形フィラメントを用いることによりフィラメントを限られた狭いスペースに高密度に配置することができる。
ここに多角形フィラメントの断面形状としては、多角形であれば良いが、特に、三角形、四角形、五角形、六角形、八角形などを使用することができる。特に好ましいのは、フィラメントが角ばっていて、植毛したときに空隙の生じない三角形、四角形、五角形、六角形、八角形などの多角形であるが、いわゆるハニカム形状をとることが出来る六角形は角も多いのでさらに好ましい。かかる多角形フィラメントの先端は、円状或いは半球状とすることが好ましい。半球状とすることにより、更に良好な歯茎のマッサージ効果を得ることが出来る。
【０００８】
本発明における多角形フィラメントは、いかなる方法により製造してもよく、例えば、デュポン株式会社から「タイネックス」（商標）ヘキサゴナルフィラメントとして容易に入手することができる。
多角形フィラメントの素材は、ナイロン、ポリエチレンテレフタレート、ポリブチレンテレフタレート等を使用することができるが、これらに限定されない。多角形フィラメントの太さは、特に限定されないが、最大太さで０．１〜０．５ｍｍ、更には０．１３〜０．３ｍｍであることが好ましい。
多角形フィラメントの先端は、円状即ち半球状に加工することが好ましい。この加工は、植毛前に実施しても植毛後に実施してもよい。かかる加工方法としては、毛先の先丸め加工等の方法があるがこれらに特に限定されない。
【０００９】
本発明のもう一つの特徴は、同心円状の横断面形状となるように芯部となる材質の周囲に鞘部となる材質を配した芯鞘構造を有し、ここに芯部と鞘部の材質が異なる芯鞘フィラメントを植毛したことにある。このような芯鞘フィラメントを用いることで、芯部と鞘部との物性の違いにより、それぞれ異なる効果を発揮させることができる。即ち、該芯鞘フィラメントの先端部を、テーパー状或いは円錐状にした場合に、芯部の硬材質部分が歯間、歯と歯茎の境界面と咬合面を効果的に清掃し、また鞘部の軟材質が芯部の硬材質の曲がりを抑制し、さらに歯間、歯と歯茎の境界面と咬合面の凹凸に、先端部が侵入するのを容易にする。特にかかる芯鞘フィラメントを植毛台の中央部に配置しておけば、歯ブラシの全フィラメントを芯鞘フィラメントとするまでもなく、かかる効果が得られることが見いだされた。ここにテーパー状或いは円錐状には、図６に示すような一定太さを有する基部から、段をなして円錐形状部分に移行するものと共に、例えば図９に示すように、基部から滑らかに段を形成することなく円錐状部分に入る、例えば回転楕円体形状のものも含まれる。
芯鞘フィラメントの素材は、ナイロンなどのポリアミド、ポリエチレンテレフタレート、ポリブチレンテレフタレートなどのポリエステル等を使用することができるが、これらに限定されない。なお鞘部よりも芯部の素材を硬質なものとすることが好ましい。かかる組み合わせとしては、例えば、芯部にポリエステル、特にポリブチレンテレフタレート、鞘部にポリアミド、特にナイロンを使用したフィラメントがある。本発明における芯鞘フィラメントは、いかなる方法により製造してもよい。
【００１０】
芯鞘フィラメントの先端は、テーパー状、即ち円錐状に加工することが好ましい。この加工は、植毛前に実施しても植毛後に実施してもよい。かかる加工方法としては、毛先の先丸め加工があるがこれらに特に限定されない。
これらフィラメントからなる毛束の植毛方法は、特に限定されない。
本発明の歯ブラシにおける植毛台、頚部、把持部を形成する素材は特に限定されないが、ナイロン、ポリエチレンテレフタレート、ポリブチレンテレフタレート、ポリイミド、ポリカーボネート、ポリアセタール、ＡＢＳ（アクリロニトリルーブタジエンースチレン共重合体樹脂）、その他の素材を使用することができる。
【００１１】
本発明者は特に、上記二種類のフィラメントを同一植毛台に植毛することにより、両者の効果が相殺されることなくむしろ相乗的に発揮されるという予想外の効果が得られることを見いだした。特にその効果を増大させるためには、前記多角形フィラメントの毛束を植毛台の外側一列に位置する植毛穴に植毛し、且つ前記芯鞘フィラメントの毛束群を植毛台の中央部分に植毛することが好ましい。
本発明の歯ブラシの、芯鞘フィラメントの毛束群と前記多角形フィラメントの毛束群は、両者の毛束群が、三列から六列の頭部の幅方向に並ぶ毛束列からなっていることが好ましく、特に三列から五列からなることが好ましい。二列では多角形フィラメントと芯鞘フィラメントを併用する効果を得ることができない。また六列を越えると、植毛が困難となり、頭部の幅を広げざるを得なくなり好ましくない。該歯ブラシの両側の外植一列の毛束長は前記外植以外の内植列の一列から三列ないし四列の毛束長より短いことが好ましい。これにより歯間、歯と歯茎の間の歯垢除去を効果的に実施することができる。さらに、内植の毛束群の植毛は、毛切りをすることにより切り揃えられてブラシの長さ方向に連続する六以上の毛切り面を形成することが好ましい。これにより、歯並びに対応した歯垢除去が可能となる。
【００１２】
図１を参照しつつ本発明の歯ブラシを説明すると、この歯ブラシの六つの毛切り面中、最もブラシ端部側に位置する第一の毛切り面の植毛は、端部側が最も短く、前記端部において毛切り面が、把持部側に向かって植毛台に対して１５゜から５０゜、好ましくは２０゜から３０゜の角度（図１（ｂ）の角α）を持つようにして長くなり、前記端部側から第一列から第三列目の毛束列部分、好ましくは第三列目から段差を形成することなく第一の頂部毛切り水平面となる第二の毛切り面を形成することが好ましい。
前記第二の毛切り面である第一の頂部毛切り水平面に連続する第三の毛切り面の植毛は、前記第二の毛切り面と段差を形成することなく、前記第二の毛切り面の把持部側端辺から植毛台に対して１５゜から５０゜、好ましくは２０゜から３０゜の角度（図１（ｂ）の角β）をもって短くなり、前記端部側から第三列と第六列目、好ましくは第四列と第五列目の間で底部を形成することが好ましい。ここに底部は第三の毛切り面と第四の毛切り面との交線であっても、第三の毛切り面と第四の毛切り面の間に存在する植毛台と略平行の平面または曲面であってもよい。
【００１３】
第四、第五、第六の毛切り面は、前記底部中央線を含む植毛台からの垂直平面を基準として、図１（ｂ）に示すように、前記第一、第二、第三の毛切り面と左右対称とすることができるが、これに限定されず、横長さを伸縮させることができるが、植毛長は、第一と第六、第二と第五、第三と第四の角毛切り面が対応して等しく構成することが好ましい。
前記頂部毛切り水平面の高さＥと底部高さＦの比が、Ｅ／Ｆ＝１．０５〜１．２、そして、前記頂部毛切り水平面の高さＥと前記第一の毛切り面の最短の高さＧの比が、Ｅ／Ｇ＝１．１〜１．３の範囲にあることが好ましい。かかる範囲を採用することにより、高い歯垢除去効果が得られる。
前記外植の毛束群の植毛長は、前記した範囲で特に限定されないが、植毛面が植毛台と平行で、且つ植毛の長さは前記底部の植毛の長さと同等であることが好ましい。
第一の頂部毛切り水平面と第五の毛切り面である第二の頂部毛切り水平面をなす植毛の長さは相違しても良いが、特に実質的に等しいことが好ましい。
【００１４】
本発明においては、その多角形断面形状により高密度に植毛台の外周に沿って植毛した円状先端フィラメントの毛束或いは両外植の各一列の、頭部の幅方向に並ぶ毛束群が、フィラメントの尖った角の作用により、歯茎のマッサージや歯の平滑面を効果的に清掃する効果を有し、植毛台の中央部分かつ前記円状先端の毛束に囲まれるか両外植の一列の頭部の幅方向に並ぶ毛束に挟まれた、円錐状先端を有する芯鞘フィラメントの毛束における各々のフィラメントの芯部の硬材質が歯間と、歯と歯茎の境界面と咬合面とを効果的に清掃し、鞘部の軟材質は芯部の硬材質の曲がりを押さえ、更に歯間と、歯と歯茎の境界面と咬合面に先端部が侵入し易くする効果を発揮する。つまり二種類のフィラメントを使用し、かつ異なる先端形状の毛束を、各々の機能や効果を有効に発揮しうる部分に植毛し、且つ歯並びに合わせた毛束群の毛の切り方をすることで、口腔内の隅々まで容易かつ効果的に隈無く清掃することができる歯ブラシを提供することを目的とする。
【００１５】
本発明の歯ブラシは耐久性に優れ、その円状先端を有する六角形フィラメントの毛束は、歯磨き時に、歯茎のマッサージをしながら、歯の平滑面に付着した歯垢を効果的に除去する。一方、前記円状先端を有する毛束に囲まれるか両外植の一列の頭部の幅方向に並ぶ毛束に挟まれた、植毛台の中央部分の円錐状先端を有する芯鞘フィラメントの毛束は、無理なく容易に歯間と歯と歯ぐきの境目に侵入し、歯間と、歯と歯茎の境目と咬合面に付着した歯垢を歯肉や歯を傷つけることなく効果的に除去することができる。
【００１６】
【実施例】
本発明の実施例を説明すると、図１において、毛束４、５を含む、その断面形状から高密度に植毛可能な円状先端を有する六角形フィラメントからなる毛束が、歯ブラシの頭部１の植毛台の外周に沿って複数植毛されている。また該毛束４、５を含む六角形フィラメントに囲まれた、毛束６を含む芯鞘フィラメントが、ブラシ部の中央部に複数植毛されている。また、前記六角形フィラメントの毛束の植毛長は、前記ブラシ部の中央部に植毛した芯鞘構造を有する芯鞘フィラメントの植毛長を越えない。さらに図１（ｂ）に示すように、本実施例では、毛束６を含む芯鞘フィラメントの植毛は、毛切りをすることでブラシの長さ方向に連続する６つの毛切り面を形成している。そして、前記の毛束を毛切りして揃えた後、毛先を丸める加工をすることによって、前記六角形フィラメントの毛束４、５等の毛の先端は円状に丸まり、前記芯鞘フィラメントの毛束６の毛先の先端は円錐状、若しくはテーパー形状に加工される。
【００１７】
本発明における多角形フィラメントは、ナイロンから押出成形法により製造した直径７．８ミル（０．２ｍｍ）のものを使用した。多角形フィラメントの毛束長は、本実施例においては均一に、１０ｍｍとした。
芯鞘フィラメントの芯部の素材はポリエチレンテレフタレート、鞘部はポリアミドのもので、直径０．２ｍｍのものを使用した。芯鞘フィラメントの毛切り形状は、図１（ｂ）に示した形状とした。毛切りの後、多角形フィラメントの先端を半球状に丸めた。さらに芯鞘フィラメントの先端を、円錐状、即ちテーパー形状に加工した。
【００１８】
歯垢除去率評価試験
試験方法
本発明を実施例に従って作成した図３に示す歯ブラシと、比較例として、市販品Ａ（ジョンソン・エンド・ジョンソン株式会社「デンタル−Ｈ」（商標）歯ブラシ）、同じく市販品Ｂ（Ｌ株式会社製「ＤＳ」歯ブラシ）とを用いて歯垢除去率テストを以下のようにして実施した。
被験者は、臨床的に正常な歯肉を有し、歯肉退縮、歯列不正の認められない健康な歯肉を有する者であって、補綴物が装着、修復物や齲蝕の認められる歯を除外した被験歯を、口腔内に２０歯以上有している者の中から３０名を選択した。
【００１９】
被験者に対して、研究開始の７日前に被験歯のスケーリング、歯面研磨を行い、プラーク付着状態を評価し、これをプラークスコア：０とした。その後、使用する歯ブラシを指定し、各人にブラッシング方法を指導した後、研究開始２４時間前より全ての口腔衛生活動を中止させ、プラーク付着状態を評価した。プラーク指数評価直後、術者の監視下のもとで指定歯ブラシを使用し、ブラッシングを行い、ブラッシング終了後、プラーク付着状態を評価した。他の歯ブラシについても順次同様の試験方法で行ない、毎週１回の間隔で試験を実施した。なお、被験者のブラッシング方法修得に考慮して、各被験者に対して各々異なった順で歯ブラシを指定し、順次評価した。
【００２０】
プラーク付着状態は、Plaque contral record（O'Lreary 1978、ＰＣＲ) に基いて、染め出し液ＰＲＯＳＰＥＣ（ＧＣ社製）染色液を用いてプラークの付着状態を判定した。被験部位は、プラークの分布部位（隣接面、歯顎部1/3）その他を考慮し、図８に示す歯とした。即ち、上顎歯中央から左の第二歯と第６歯、右の第四歯、下顎歯中央から左の第四歯、右の第二歯と第六歯である。その他、歯肉の為害作用、使いやすさについてアンケートを行った。ブラッシング法は、スクラビング法に準じ、上下顎唇側歯面６カ所、舌口蓋側面最低５カ所以上当てるようにし、最低１部位１０回行わせた。ブラッシング時間は、一口腔内について５分間とした。
試験結果
この結果を、表１と図７に示した。歯冠部、歯頚部及び全体の評価において、本発明歯ブラシが良好な歯垢除去効果を有していることが分かる。
【００２１】
【発明の効果】
本発明は、植毛台の外周に沿ってフィラメントの断面形状から、最密に植毛した円状先端の六角形フィラメントの毛束、或いは両外植の一列の頭部の幅方向に並ぶ毛束は、歯茎のマッサージや歯の平滑面を効果的に清掃する。そして植毛台の中央部分かつ前記円状先端の毛束に囲まれるか、両外植の一列の頭部の幅方向に並ぶ毛束に挟まれた円錐状先端の芯鞘フィラメントの毛束は、各々のフィラメントの芯部の硬材質が、歯間と歯と歯茎の境目と咬合面を効果的に清掃し、鞘部の軟材質は芯部の硬材質の曲がりを抑え、更に歯間と歯と歯茎の境目と咬合面に侵入し易い効果をもたらしている。即ち、２種類の異なる先端形状の毛束を、各々の機能や効果を有効に発揮しうる箇所に植毛し、且つ歯並びに合わせた毛束群の毛切り方法をすることで、口腔内の隅々まで容易かつ効果的に清掃することができる。
【図面の簡単な説明】
【図１】  本発明の歯ブラシの一実施例の頭部である。
【図２】  本発明の歯ブラシの植毛台及びブラシ部形状の一実施例を示す。
【図３】  本発明の歯ブラシの一実施例の全体図である。
【図４】  多角形フィラメント断面の各種多角形が高密度に植毛される様子を示す。
【図５】  六角形断面の多角形フィラメントの縦横断面図である。
【図６】  円錐形状先端を有する芯鞘構造フィラメントの縦横断面図である。
【図７】  歯垢除去率試験結果の棒グラフである。
【図８】  歯垢除去率評価試験における評価被験歯の部位を示す。
【図９】  図６と異なる円錐形状先端を有する芯鞘構造フィラメントの縦横断面図である。
【符号の説明】
１・・・・・頭部、２・・・・・ハンドル、３・・・・・植毛台、４および５・・・・・多角形フィラメントからなる毛束、６・・・・・芯鞘フィラメントからなる毛束、７・・・・・端部、α・・・・・植毛台と第一の毛切り面のなす角、β・・・・・植毛台と第３の毛切り面のなす角。
【表１】0004050356.tif 000002
【図１】
0004050356.tif 000003
【図２】
0004050356.tif 000004
【図３】
0004050356.tif 000005
【図４】
0004050356.tif 000006
【図５】
0004050356.tif 000007
【図６】
0004050356.tif 000008
【図７】
0004050356.tif 000009
【図８】
0004050356.tif 000010
【図９】
0004050356.tif 000011